(57)【要約】【課題】様々なスペックのテレメータ送信機や他の生体情報モニターから送信される生体情報を、送信側機器が変わる度に煩雑な設定操作をしなくても、適切な画面レイアウトで表示できる生体情報モニターを提供すること。【解決手段】受信部１０７は、生体情報を送信する送信側機器から生体情報に加えて送信側機器が送信する生体情報の種類を特定可能な情報を受信する。表示制御部１０２は、受信部１０７によって受信した生体情報の種類を特定可能な情報に基づいて表示画面のレイアウトを変更する。【選択図】図１
2016158720.tif 000002
【特許請求の範囲】
【請求項１】
生体情報を送信する送信機から生体情報を受信して表示する生体情報モニターであって、
前記送信機から、前記生体情報に加えて、前記送信機が送信する生体情報の種類を特定可能な情報を受信する受信部と、
前記受信部によって受信した前記生体情報の種類を特定可能な情報に基づいて、表示画面のレイアウトを変更する表示制御部と、
を具備する生体情報モニター。
【請求項２】
前記生体情報の種類を特定可能な情報は、前記送信機の機器識別情報である、
請求項１に記載の生体情報モニター。
【請求項３】
前記送信機は、テレメータ送信機である、
請求項１又は請求項２に記載の生体情報モニター。
【発明の詳細な説明】
【技術分野】
【０００１】
本発明は、生体情報を送信する送信機から生体情報を受信して表示する生体情報モニターに関する。
【背景技術】
【０００２】
生体情報モニターは、生体情報（例えば、心電図、血圧および酸素飽和度など）の計測値及び波形を、表示部に一括表示することができる。生体情報モニターの例としては、病室などのベッドサイドに設置して使用されるベッドサイドモニター及びナースステーションなどに設置して使用されるセントラルモニターなどがある。
【０００３】
生体情報モニターにより表示された計測値及び波形を見ることで、医療従事者（医師及び看護師など）は、患者の容体を把握することができる。また、生体情報モニターは一般に、計測値の異常などが生じたときにアラーム音などにより異常を通知するアラーム機能を有するため、医療従事者は、非常時に適切な措置を迅速にとることができる。
【０００４】
生体情報モニターにおいて表示される生体情報は、コネクタ部に接続された、心電電極、血圧測定用カフ、体温センサ、ＳｐＯ２センサ、及び心拍出量センサなどの生体情報検出部から入力される。
【０００５】
また、生体情報モニターにおいて表示される生体情報は、当該生体情報モニターに無線接続されたテレメータ送信機や、当該生体情報モニターに有線接続された他の生体情報モニターから入力される場合もある。生体情報を送信する送信機から生体情報を受信して表示する生体情報モニターについては、例えば特許文献１に記載されている。
【先行技術文献】
【特許文献】
【０００６】
【特許文献１】特開２０１０−０５７６１６号公報
【発明の概要】
【発明が解決しようとする課題】
【０００７】
ところで、生体情報モニターがテレメータ送信機や他の生体情報モニターから生体情報を受信する場合においては、受信する生体情報の種類は送信先のテレメータ送信機や他の生体情報モニターによって異なる。例えば心電図及び呼吸数のみを送信するテレメータ送信機もあれば、心電図、呼吸数及び血圧を送信するテレメータ送信機もある。特に近年、テレメータ送信機のスペックは多様化しているので、それに伴い生体情報モニターが受信する生体情報の種類も多様化してきている。
【０００８】
生体情報モニターには一般に、生体情報を表示する表示画面の画面レイアウトを変更するための画面レイアウト設定機能が備わっており、ユーザーは入力する生体情報の種類に応じて手入力で画面レイアウトを変更する。このように画面レイアウトを変更することで、表示する生体情報の種類に応じて全画面を有効利用して生体情報を見易く表示できるようになる。
【０００９】
しかしながら、ユーザーは、無線接続されるテレメータ送信機が変わる度に、どのようなテレメータ送信機から生体情報を受信するのかを確認しながら、画面レイアウトを変更する必要があり、非常に煩雑であった。
【００１０】
本発明は、以上の点を考慮してなされたものであり、様々なスペックのテレメータ送信機や他の生体情報モニターから送信される生体情報を、送信側機器が変わる度に煩雑な設定操作をしなくても、適切な画面レイアウトで表示できる生体情報モニターを提供する。
【課題を解決するための手段】
【００１１】
本発明の生体情報モニターの一つの態様は、
生体情報を送信する送信機から生体情報を受信して表示する生体情報モニターであって、
前記送信機から、前記生体情報に加えて、前記送信機が送信する生体情報の種類を特定可能な情報を受信する受信部と、
前記受信部によって受信した前記生体情報の種類を特定可能な情報に基づいて、表示画面のレイアウトを変更する表示制御部と、
を具備する。
【発明の効果】
【００１２】
本発明によれば、受信した生体情報の種類を特定可能な情報に基づいて表示画面のレイアウトを変更するので、様々なスペックのテレメータ送信機や他の生体情報モニターから入力される生体情報を、煩雑な設定操作をしなくても、適切な画面レイアウトで表示できるようになる。
【図面の簡単な説明】
【００１３】
【図１】本発明の階層型メニュー表示装置を適用した生体情報モニターの全体構成を示すブロック図
【図２】画面レイアウトの例を示す図
【図３】画面レイアウトの例を示す図
【発明を実施するための形態】
【００１４】
以下、本発明の実施の形態について、図面を参照して詳細に説明する。
【００１５】
図１は、本実施の形態の生体情報モニター１００の全体構成を示すブロック図である。生体情報モニター１００は、コネクタ部１１０を介して、心電図を検出するための心電電極１１１、血圧を検出するための血圧測定用カフ１１２、体温を検出するための体温センサ１１３、ＳｐＯ２を検出するためのＳｐＯ２センサ１１４、及び心拍出量を検出するための心拍出量センサ１１５などの生体情報検出部が接続されている。コネクタ部１１０は、生体情報検出部と計測処理部１０４との間のインタフェースとして機能する。
【００１６】
計測処理部１０４は、記憶部１０５に記憶されたプログラムを実行することで、所定の計測処理を実行する。この計測処理によって、計測処理部１０４は、コネクタ部１１０に接続された生体情報検出部（心電電極１１１、血圧測定用カフ１１２、体温センサ１１３、ＳｐＯ２センサ１１４及び心拍出量センサ１１５）を用いて患者の生体情報を計測する。なお、上記生体情報検出部を用いた各種生体情報の計測方法については従来周知のものを適用可能であるため、ここではその詳細な説明を省略する。また、計測処理部１０４は、過去に計測した生体情報を記憶部１０５に記憶させる動作、及び、記憶部１０５に記憶されている生体情報を読み出す動作を行うことができるようになっている。
【００１７】
また、計測処理部１０４によって得られた生体情報は、表示制御部１０２を介して表示部１０１に計測値又は波形の形式で表示される。さらに、計測処理部１０４は、計測した生体情報のアラーム判定を行い、判定の結果に応じてアラームインジケータ１０６を制御する。
【００１８】
表示部１０１は、例えばタッチパネル付き液晶表示器であり、生体情報を表示する表示機能を有するだけでなく、ユーザーによる入力操作を受け付ける入力部としての機能も有する。具体的には、ユーザーによる表示部１０１のタッチ操作によって、表示制御部１０２による表示部１０１の表示や計測処理部１０４の処理が変更される。
【００１９】
受信部１０７は、テレメータ送信機からの無線信号を受信可能となっている。また、受信部１０７は、他の生体情報モニターからの有線信号或いは無線信号を受信可能となっている。テレメータ送信機からの無線信号を受信する場合、受信部１０７は、受信周波数をテレメータ送信機の送信周波数に応じて変更することで、種々のテレメータ送信機の無線信号を受信可能となっている。
【００２０】
本実施の形態の場合、送信側のテレメータ送信機又は他の生体情報モニターは、生体情報に加えて、自機の機器識別情報を送信するようになっている。受信部１０７は、受信した生体情報及び機器識別情報を表示制御部１０２に送出する。表示制御部１０２は、記憶部１０３から機器識別情報に対応した画面レイアウト情報を読み出して、その画面レイアウトで生体情報を表示部１０１に表示する。
【００２１】
つまり、記憶部１０３には、予め機器種別に応じた画面レイアウト情報が記憶されている。本実施の形態の場合、記憶部１０３への機器種別に応じた画面レイアウト情報の記憶は、ユーザーが表示部１０１のタッチパネルを使って手入力で行うようになっている。ただし、記憶部１０３への機器種別に応じた画面レイアウト情報の記憶の方法は、これに限らない。
【００２２】
ここで、機器識別情報とは、例えば送信側機器であるテレメータ送信機や他の生体情報モニターの機種名（型式と言ってもよい）などである。送信側機器の機器種別によって、その送信側機器がどの種類の生体情報を送信するものなのかが決まっている。これを考慮して、受信側の生体情報モニター１００の記憶部１０３には送信側機器の機器種別に適した画面レイアウトを予め記憶しておく。例えば機種名Ａのテレメータ送信機は心電図、血圧、呼吸を送信するものなので、記憶部１０３には機種名Ａに紐付けてこれら３つの生体情報を表示するのに適した画面レイアウトが記憶されている。一方、機種名Ｂのテレメータ送信機は心電図、呼吸を送信するものなので、記憶部１０３には機種名Ｂに紐付けてこれら２つの生体情報を表示するのに適した画面レイアウトが記憶されている。
【００２３】
因みに、本実施の形態の場合には、機器識別情報に基づいて画面レイアウトを変更しているが、要は、送信機が送信する生体情報の種類を特定可能な情報に基づいて画面レイアウトを変更すればよい。よって、送信機から、これからどの種類の生体情報を送るかの情報を生体情報モニター１００に送信し、生体情報モニター１００はその情報に基づいて画面レイアウトを変更してもよい。
【００２４】
なお上述の説明からも分かるように、本明細書で述べている生体情報の種類とは、心電図、血圧、呼吸などである。また、例えば同じ心電図でも表示レイアウトの異なる心電図は、異なる種類の生体情報であるものとする。本明細書における、生体情報の種類とは、本質的には、表示画面のレイアウトに影響を与えるような生体情報の区別のことである。
【００２５】
図２及び図３は、本実施の形態の生体情報モニター１００による画面レイアウトの変更例を示したものである。
【００２６】
図２は、送信側機器からの機器識別情報（例えば機種名Ａ）に基づいて、生体情報モニター１００の表示制御部１０２が心電図、血圧、呼吸に関する波形及び数値を表示するのに適した画面レイアウトを記憶部１０３から読み出して、その画面レイアウトに従って送信側機器からの生体情報を表示した例である。
【００２７】
図３は、送信側機器からの機器識別情報（例えば機種名Ｂ）に基づいて、生体情報モニター１００の表示制御部１０２が心電図、呼吸に関する波形及び数値を表示するのに適した画面レイアウトを記憶部１０３から読み出して、その画面レイアウトに従って送信側機器からの生体情報を表示した例である。
【００２８】
以上説明したように、本実施の形態によれば、生体情報を送信する送信側機器から生体情報に加えて送信側機器が送信する生体情報の種類を特定可能な情報を受信する受信部１０７と、受信部１０７によって受信した生体情報の種類を特定可能な情報に基づいて表示画面のレイアウトを変更する表示制御部１０２と、を設けたので、様々なスペックのテレメータ送信機や他の生体情報モニターから送信される生体情報を、送信側機器が変わる度に煩雑な設定操作をしなくても、適切な画面レイアウトで表示できる生体情報モニター１００を実現できる。
【００２９】
因みに、本実施の形態の生体情報モニター１００は、受信部１０７で受信した生体情報そのものを見て、その生体情報にどの種類の生体情報が含まれるかに基づいて画面レイアウトを変更しているわけではない。例えば、心電図、血圧、呼吸の生体情報を送信するはずの機種名Ａのテレメータ送信機から、血圧、呼吸の生体情報のみを受信したとする。この受信した生体情報そのものを見て画面レイアウトを変更しようとすると、心電図の表示スペースの無い画面レイアウトになってしまうが、本実施の形態では、心電図が送られてきてなくても、心電図の表示スペースのある画面レイアウトが選択され、心電図の表示スペースがブランクとなる。これにより、本実施の形態によれば、電極外れやケーブルの断線といった計測の異常を検知することができるようになる。
【００３０】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００３１】
本発明は、様々なスペックのテレメータ送信機や他の生体情報モニターからの生体情報を受信して表示する生体情報モニターに好適である。
【符号の説明】
【００３２】
１００  生体情報モニター
１０１  表示部
１０２  表示制御部
１０３、１０５  記憶部
１０４  計測処理部
１０７  受信部
【図１】
2016158720.tif 000003
【図２】
2016158720.tif 000004
【図３】
2016158720.tif 000005